(57)【特許請求の範囲】
【請求項１】
固定具にて躯体に固定される金属サイディング用金具であって、
前記躯体に当接する躯体当接部と、
矩形の金属サイディングの上辺に設けた固定片部よりも室外側に配置される保持片部であって、前記固定具の前記躯体側への移動に応じて前記躯体側に移動可能な保持片部と、
前記保持片部に対向し、前記保持片部との間で前記固定片部を挟持するためのサイディング当接部であって、前記躯体当接部よりも室外側に配置されるサイディング当接部と、
を有することを特徴とする、
金属サイディング用金具。
【請求項２】
前記サイディング当接部には、室外側に突出し、前記固定片部の裏側に当接するための凸部が設けられる、
ことを特徴とする請求項１に記載の金属サイディング用金具。
【発明の詳細な説明】
【技術分野】
【０００１】
本発明は、金属サイディングを用いた建物外壁の分野に関するものであり、より詳しくは、金属サイディングを躯体に固定するための金具に関する。
【背景技術】
【０００２】
従来、鋼板やアルミ板などの金属表面材と、アルミラミネート加工クラフト紙などの裏面材の間に発泡材を挟み込んでなる金属サイディングが知られている。
【０００３】
そして、例えば、特許文献１に開示されるように、役物（取付部材、金具）を用いて金属サイディングを柱に取り付ける構法についても知られている。この構成の場合、金属サイディングの裏側面が、その室内側に配置される防水シートと接触して配置されることになる。
【先行技術文献】
【特許文献】
【０００４】
【特許文献１】特開２００８−１７５０３４号公報
【発明の概要】
【発明が解決しようとする課題】
【０００５】
特許文献１の構成では、建築用パネルの釘打片を保持隙間に差し込みつつ押付端で押さえ込んで保持する構成としているが、建築用パネルの取付けの際に押付片が撓んでしまうと、保持隙間が広がってしまい、十分に保持されないことが懸念される。このように建築用パネルの保持力が弱い場合には、建築用パネルがずれてしまうことも懸念される。
【０００６】
そこで、金属サイディングを確実に保持し続けることができる金属サイディング用の金具を提供するものである。
【課題を解決するための手段】
【０００７】
本発明の解決しようとする課題は以上の如くであり、次にこの課題を解決するための手段を説明する。
【０００８】
即ち、請求項１に記載のごとく、固定具にて躯体に固定される金属サイディング用金具であって、前記躯体に当接する躯体当接部と、矩形の金属サイディングの上辺に設けた固定片部よりも室外側に配置される保持片部であって、前記固定具の前記躯体側への移動に応じて前記躯体側に移動可能な保持片部と、前記保持片部に対向し、前記保持片部との間で前記固定片部を挟持するためのサイディング当接部であって、前記躯体当接部よりも室外側に配置されるサイディング当接部と、を有することを特徴とする、金属サイディング用金具とする。
【０００９】
また、請求項２に記載のごとく、前記サイディング当接部には、室外側に突出し、前記固定片部の裏側に当接するための凸部が設けられる、こととする。
【発明の効果】
【００１０】
本発明の効果として、以下に示すような効果を奏する。
【００１１】
即ち、請求項１に記載の発明においては、保持片部にて金属サイディングの固定片部を保持するとともに、固定具が躯体（柱）に固定されることで、保持片部が固定片部を保持する力が維持され、金属サイディングを確実に保持し続けることができる。
【００１２】
また、請求項２に記載の発明においては、金属サイディングの留め付けが完了した状態では、保持片部による固定片部の表側の押え付けとともに、凸部による固定片部の裏側への押え付けが実現され、金属サイディングと金具の間でのズレの発生が抑制される。
【図面の簡単な説明】
【００１３】
【図１】金属サイディングと金具について説明する斜視図。
【図２】金具による金属サイディングの躯体への固定について示す側面断面図。
【図３】金具と金属サイディングの各部位の構成について説明する側面断面図。
【図４】（Ａ）は金具の側面図。（Ｂ）は金具の正面図。
【図５】（Ａ）は金具を金属サイディングに仮固定した状態について示す側面断面図。（Ｂ）は固定具により金具と金属サイディングを留め付けた状態について示す側面断面図。
【図６】金具を用いた金属サイディングの施工の手順について説明する図。
【発明を実施するための形態】
【００１４】
以下本発明の実施形態について説明する。
図１乃至図３に示すように、金属サイディング１Ａ，１Ｂは、表面材２と裏面材３の間に芯材４を挟み込んで板状に構成されるものである。なお、以下の説明中の位置関係を指示する用語に関し、「表側」の用語は、外装壁面を構成する表面材２の側のことをいい、「裏側」の用語は、裏面材３の側のことをいうこととする。また、「表側」は「室外側」に対応し、「裏側」は躯体に近い側（躯体側（柱６に近い側））に対応する。
【００１５】
金属サイディングの表面材２は、金属板材にて構成することができ、例えば、鋼板やアルミ板など構成することができる。この表面材２に、プレス成形などで凹凸面を形成することにより、立体的なパターンを配設することができる。
【００１６】
金属サイディングの裏面材３は、シート部材にて構成することができ、例えば、アルミラミネート加工クラフト紙や合成樹脂シートなどで構成することができる。
【００１７】
金属サイディングの芯材４は、合成樹脂発泡体などで構成することができ、例えば、硬質発泡ポリウレタンなどで構成することができる。
【００１８】
以上のように構成される金属サイディング１Ａ，１Ｂは、上下左右方向に並べて貼り合わされて一連の外壁面を構成する。図１に示すように、上側に配置される金属サイディング１Ａにおいて、下辺縁部２０には幅方向Ｗに伸びる凹部２１が形成され、下側に配置される金属サイディング１Ｂにおいて、上辺縁部３０には幅方向Ｗに伸びる凸部３１が形成される。図２に示すように、凹部２１と凸部３１は互いに嵌合し、この嵌合により上下に隣り合う金属サイディング１Ａ，１Ｂが連結される。
【００１９】
より具体的には、図２及び図３に示すように、上側に配置される金属サイディング１Ａの下辺縁部２０には、表面部２ａから斜め下方向裏側に伸びる傾斜部２２と、傾斜部２２の裏側端部から上方に向かう縦面部２３と、縦面部２３の上端部から裏側に向かう側面視円弧状の曲面部２４と、曲面部２４の裏側端部から下方に向かう縦面部２５と、縦面部２５の下端部から折り返されて上方に向かう裏側縦面部２６と、が形成されている。
【００２０】
図３に示すように、縦面部２３と縦面部２５の間には幅Ｄ１の隙間Ｓ１が形成され、この隙間Ｓ１において凹部２１が構成される。
【００２１】
図２及び図３に示すように、凹部２１の内部に位置する曲面部２４には水密材２７が配設されており、凹部２１に凸部３１が嵌入された状態では、両者に水密材２７が挟み込まれ、凹部２１と凸部３１の間の水密性が確保される。
【００２２】
また、図２及び図３に示すように、下側に配置される金属サイディング１Ｂの上辺縁部３０には、表面部２ａから斜め上方向裏側に伸びる傾斜部３２と、傾斜部３２の上端部から上方に向かう縦面部３３と、縦面部３３の上端部から折り返して下側に伸びる縦面部３４と、縦面部３４の下端部から裏側に伸びる底面部３５と、底面部３５の裏側端部から上方に向かう縦面部３６と、縦面部３６の上端部から折り返されて下方に向かう裏側縦面部３７と、が形成されている。
【００２３】
そして、縦面部３３と縦面部３４により上方に突出する凸部３１が形成され、凸部３１が凹部２１に対して嵌入される。
【００２４】
また、図３に示すように、下側に配置される金属サイディング１Ｂの上辺縁部３０において、縦面部３４と縦面部３６の間には幅Ｄ２の隙間Ｓ２が形成され、この隙間Ｓ２に対し、上側に配置される金属サイディング１Ａの下辺縁部２０の縦面部２５，２６が差し込まれる。
【００２５】
さらに、図３に示すように、下側に配置される金属サイディング１Ｂの縦面部３６にて固定片部３８が構成され、詳しくは後述するように、固定片部３８が金具５により躯体（柱６）に近い側に引き寄せられることで、金属サイディング１Ｂの上辺縁部３０が躯体（柱６）に固定される。
【００２６】
次に、図１乃至図４に示される金具５（金属サイディング用金具）について説明する。この金具５は、各図において下側に配置される金属サイディング１Ｂの上辺縁部３０の固定片部３８を柱６（又は間柱）に固定するとともに、金属サイディング１Ｂの裏側に通気層８（図２）を構成するために用いられる。
【００２７】
金具５は、鋼板をプレスなどにて曲げ加工して構成することができ、柱６などの躯体に当接する躯体当接部５１，５６と、金属サイディング１Ｂの固定片部３８（縦面部３６）の裏面側に当接するサイディング当接部５２と、を有して構成される。躯体当接部５１，５６とサイディング当接部５２の間には幅Ｄ３の間隔が設けられることで、金具５によって金属サイディング１Ｂと柱６の間に通気層８を形成できる。
【００２８】
躯体当接部５１とサイディング当接部５２，５６は、それぞれ縦面で構成されており、躯体当接部５１の下端部とサイディング当接部５２の上端部が略水平の横板面部５３ａを介して接続され、躯体当接部５６の上端部とサイディング当接部５２の下端部が略水平の横板面部５３ｂを介して接続される。そして、横板面部５３ａ，５３ｂの幅Ｄ３により通気層８の幅が規定される。
【００２９】
また、金具５は、躯体当接部５１に対向するように室外側に配置される縦面部５５を有している。縦面部５５の上部と躯体当接部５１の上部は側面視円弧状の曲面部５１ｂで接続され、縦面部５５と躯体当接部５１が側面視において略逆Ｖ字状をなしている。また、縦面部５５と躯体当接部５１の間には、下方が開放される隙間５５ｂが形成される。
【００３０】
また、金具５は、金属サイディング１Ｂの固定片部３８よりも室外側に配置される保持片部５４を有している。保持片部５４は、その上端において連続する側面視円弧状の曲面部５４ａと、曲面部５４ａから躯体側に略水平に伸びる横板面部５３ｃとを介して、縦面部５５の下端と接続される。
【００３１】
また、保持片部５４は、サイディング当接部５２よりも室外側に配置されることで、金属サイディング１Ｂの固定片部３８よりも室外側に配置される。また、本実施例では、保持片部５４がサイディング当接部５２と対向し、両者の間に差込隙間５４ｂが構成され、この差込隙間５４ｂに金属サイディング１Ｂの固定片部３８の上端部が差し込まれるよう構成される。
【００３２】
このように、差込隙間５４ｂが形成されることで、金属サイディング１Ｂの固定片部３８を差込隙間５４ｂに差し込むことで金具５を金属サイディング１Ｂに対して仮固定することができ、仮固定した状態で金属サイディング１Ｂと金具５を一緒に持ち運ぶことが可能となる。
【００３３】
また、図４（Ａ）（Ｂ）に示すように、金具５の縦面部５５には貫通孔５５ａが設けられており、この貫通孔５４ａに対向する位置において、躯体当接部５１にも貫通孔５１ａが設けられている。なお、本実施例では、幅方向Ｗにおいて複数個所（三箇所）に貫通孔５５ａ，５１ａが設けられており、他の部材との干渉の状況などに応じて、適宜利用される。
【００３４】
そして図５（Ａ）に示すように、この貫通孔５５ａ，５１ａを通じて固定具４０が柱６に対して差し込まれる。なお、柱６には透湿防水シート７が貼接されており、躯体当接部５１と柱６の間に透湿防水シート７が挟まれる。固定具４０は、ビスや釘などを使用することができ、透湿防水シート７を突き破って柱６に差し込まれる。
【００３５】
図５（Ａ）の状態からさらに固定具４０を差し込むと、図５（Ｂ）に示すように、固定具４０の頭部４０ａが縦面部５５の室外側の面を押え付け、曲面部５１ｂを基点として縦面部５５が柱６側へと傾く。この縦面部５５の傾きに伴って、保持片部５４も柱６側へと傾き、保持片部５４が金属サイディング１Ｂの固定片部３８（縦面部３６）に当接し、固定片部３８を柱６側へと押え付ける。
【００３６】
そして、図５（Ｂ）の状態では、保持片部５４とサイディング当接部５２の間で固定片部３８（縦面部３６）が挟み込まれ、金属サイディング１Ｂが柱６に留め付けられた状態となる。
【００３７】
ここで、図５（Ａ）に示すように、縦面部５５は、その上部が躯体当接部５１側に近く、下部が躯体当接部５１側から遠くなるように勾配が設けられる。これにより、縦面部５５と躯体当接部５１の間に形成される隙間５５ｂの上側が狭く下側が広くなり、隙間５５ｂの下部の幅Ｄ５を広く確保することができる。
【００３８】
そして、隙間５５ｂの下部の幅Ｄ５が広いことで、固定具４０を柱６に差し込んだ際の縦面部５５の傾き幅、つまり、図５（Ａ）の状態から図５（Ｂ）の状態となる際の変化の幅を大きく確保することができ、保持片部５４を確実に柱６側へと移動させることが可能となって、保持片部５４にて固定片部３８を確実に押え付けることができる。
【００３９】
また、図３に示すように、隙間５５ｂの下部の幅Ｄ５が広くなることで、差込隙間５４の幅Ｄ６も広く確保することができ、差込隙間５４への金属サイディングの固定片部３８の挿入が容易に行うことができ、固定辺部３８に対する金具５の取り付け作業が容易に行えることになる。
【００４０】
また、図４（Ａ）（Ｂ）に示すように、サイディング当接部５２には、室外側に突出する凸部５２ａ，５２ａが形成される。この凸部５２ａは、図５（Ｂ）に示すように、金属サイディング１Ｂの固定片部３８の裏側（縦面部３６）に当接されるものであり、金属サイディング１Ｂの留め付けが完了した状態では、保持片部５４による固定片部３８の表側の押え付けとともに、凸部５２ａ，５２ａによる固定片部３８の裏側への押え付けが実現され、金属サイディング１Ｂと金具５の間でのズレの発生が抑制される。
【００４１】
凸部５２ａの形状は特に限定されるものではないが、図４（Ｂ）に示す本実施例では、逆Ｖ字状の切り込みを入れて上部が室外側へと突出するよう傾けることで、三角形状の突起をなす凸部５２ａが形成される。また、凸部５２ａは、幅方向Ｗにおいて複数個所（実施例では三箇所）に形成されることで、幅方向Ｗにおいて広い範囲で金属サイディング１Ｂと金具５の間でのズレの発生が抑制される。
【００４２】
また、図４（Ｂ）に示すように、保持片部５４において金属サイディング１Ｂの固定片部３８（図５（Ａ））に当接する当接部５４ｓは、固定片部３８の室外側の表面との接触面積を小さくできるように構成されている。
【００４３】
このように当接部５４ｓと固定片部３８の接触面積を小さくすることで、保持片部５４による固定片部３８の室外側の表面の傷などの損傷を低減させることができる。
【００４４】
本実施例では、保持片部５４の下部に台形状の切り欠き部５４ｋ，５４ｋを幅方向Ｗにおいて複数個所に形成することで、略Ｖ字状の当接部５４ｓが幅方向Ｗにおいて複数個所（実施例では四箇所）に形成されることとし、これにより、固定片部３８の室外側の表面との接触面積を小さくし、傷などの損傷が生じにくい構成としている。なお、仮に、連続した一直線状の当接部とした場合には、固定片部３８の室外側の表面を多く擦ってしまうことになり、傷などの損傷が生じ易いものとなる。
【００４５】
また、保持片部５４の上下方向の長さについては、当接部５４ｓが金属サイディング１Ｂの上辺縁部３０に形設される隙間Ｓ２の底面部３５に接触しない長さとすることが好ましく、例えば、図５（Ａ）に示すように、縦面部３３の上端よりも上側に当接部５４ｓが配置することが考えられる。
【００４６】
これにより、仮に隙間Ｓ２に水が溜まってしまった場合において、この水に当接部５４ｓが浸されることがなく、当接部５４ｓの錆びの発生による劣化を防止できる。
【００４７】
なお、以上に説明した金具５の構成にいては、図４（Ａ）に示すように、曲面部５１ｂを介して縦面部５５と躯体当接部５１を接続することで全体として一部材の金具が構成されることとしたが、曲面部５１ｂの部位において躯体側（室内側）と反躯体側（室外側）が分離される二部材にて構成される金具としてもよい。
【００４８】
次に、金具５を用いた金属サイディング１Ａの施工手順について説明する。
図６（Ａ）に示すように、金具５を金属サイディング１Ａの上辺縁部３０（固定片部３８）に引っ掛けるようにして仮固定する。仮固定後は、金属サイディング１Ａとともに金具５を運ぶことができ、金具５を別途持ち運ぶ必要がなく、取り扱いが容易となる。特に、二階などの高所においては、既に金具５の仮固定がされていることで、高所における金属サイディング１Ａに対する金具５の取り付けが不要となり、優れた施工性が実現される。
【００４９】
また、金具５の仮固定の位置は、柱６，６の間隔に合わせて行われることが好ましい。これによれば、金属サイディング１Ａを移動した後に、柱６，６に対する金具５の位置合わせが不要となる。
【００５０】
次いで、図６（Ｂ）に示すように、既に柱６に固定された金属サイディング１Ｂの上辺縁部３０に、次に固定される金属サイディング１Ａの下辺縁部２０を載置することで、図２に示すように、上側の金属サイディング１Ａの凹部２１と、下側の金属サイディング１Ｂの凸部３１を嵌合させる。
【００５１】
また、この際、図２に示すように、金具５の躯体当接部５１，５６が柱６（透湿防水シート７の表面）に対向して配置される。
【００５２】
次いで、図５（Ａ）に示すように、金具５を通じて固定具４０を柱６に打ち込むことで、金具５の保持片部５４にて金属サイディング１Ａの固定片部３８を柱６側へと引き寄せるようにして、金属サイディング１Ａを柱６に止めつける。
【００５３】
ここでは、図５（Ａ）（Ｂ）に示すように、金具５の縦面部５５の柱６側への傾きに伴って保持片部５４も柱６側へと傾き、保持片部５４が金属サイディング１Ｂの固定片部３８に当接して固定片部３８を柱６側へと押え付けることで、金属サイディング１Ａの柱６への留め付け作業を完了できる。
【００５４】
この留め付け作業においては、固定具４０を打ち込むだけで柱６に対し、金具５と金属サイディング１Ａを同時に留め付けることができ、優れた施工性が実現される。
【００５５】
以上のようにして本発明を実施することができる。
即ち、図５（Ａ）（Ｂ）に示すように、固定具４０にて躯体（柱６）に固定される金属サイディング用金具５であって、矩形の金属サイディング１Ｂの上辺に設けた固定片部３８よりも室外側に配置される保持片部５４を有し、固定具４０にて金属サイディング用金具５を躯体（柱６）に固定する際に、保持片部５４が固定具４０に押圧されて躯体側に移動し、固定片部３８を躯体側に引き寄せて金属サイディング１Ｂを躯体に留め付ける、金属サイディング用金具５とするものである。
【００５６】
これにより、保持片部５４にて金属サイディング１Ｂの固定片部３８を保持するとともに、固定具４０が躯体（柱６）に固定されることで、保持片部５４が固定片部３８を保持する力が維持され、金属サイディング１Ｂを確実に保持し続けることができる。
【００５７】
また、図５（Ａ）に示すように、躯体（柱６）に当接する躯体当接部５１と、躯体当接部５１と隙間５５ｂを空けて対向し、上部において躯体当接部５１と連続し、下部において保持片部５４と連続する縦面部５５と、を有し、縦面部５５は、隙間５５ｂの上側を狭く下側を広くする勾配を有する、こととするものである。
【００５８】
これにより、固定具４０を躯体（柱６）に差し込んだ際の縦面部５５の傾き幅を大きく確保することができ、保持片部５４を確実に躯体（柱６）側へと移動させ、固定片部３８を躯体（柱６）側へと確実に押え付けることが可能となる。
【産業上の利用可能性】
【００５９】
本発明の構成は、金属サイディングの裏側に通気層を確保する形態において、幅広く適用することができる。
【符号の説明】
【００６０】
１Ａ    金属サイディング
１Ｂ    金属サイディング
５    金具
６    柱
２０    下辺縁部
３０    上辺縁部
３８    固定片部
４０    固定具
５４    保持片部
５５    縦面部
【図１】
0006449011.tif 000002
【図２】
0006449011.tif 000003
【図３】
0006449011.tif 000004
【図４】
0006449011.tif 000005
【図５】
0006449011.tif 000006
【図６】
0006449011.tif 000007